【手続補正書】
【提出日】令和2年10月2日(2020.10.2)
【手続補正１】
【補正対象書類名】特許請求の範囲
【補正対象項目名】全文
【補正方法】変更
【補正の内容】
【特許請求の範囲】
【請求項１】
表示光を反射部（３ａ）に反射させて、視認領域（ＥＢ）から視認可能な虚像（ＶＲ１，ＶＲ２）を表示する虚像表示装置であって、
前記表示光を発する表示画面（２１ａ）を有する表示部（２０）と、
前記表示画面に、前記反射部の所定の位置で反射されて前記視認領域のうち第１視点（ＶＰ１）に向かうこととなる前記表示光を発する第１領域（ＰＡ１）と、前記反射部の前記所定の位置からずれた位置で反射されて前記視認領域のうち前記第１視点とは異なる位置である第２視点（ＶＰ２）に向かうこととなる前記表示光を発する第２領域（ＰＡ２）と、を設定し、前記第１視点と前記第２視点との視差に基づく視差画像を、前記第１領域に第１視差画像（ＰＩ１）として、及び前記第２領域に第２視差画像（ＰＩ２）として、それぞれ表示するように、前記表示部を制御する画像制御部（４２）と、を備え、
前記画像制御部は、前記表示画面上において、前記第１領域に表示される前記第１視差画像の上方向（ＵＤ）と、前記第２領域に表示される前記第２視差画像の上方向とが、前記反射部での反射の位置のずれに応じて互いに異なるように、前記第１視差画像及び前記第２視差画像を表示させる虚像表示装置。
【請求項２】
前記第１視差画像の未回転データ及び前記第２視差画像の未回転データを用意するデータ用意部（４１）を、さらに備え、
前記画像制御部は、前記第１視差画像の未回転データを所定の第１回転量にて回転する処理を実施した上で、前記第１視差画像として前記表示画面上に表示すると共に、前記第２視差画像の未回転データを前記第１回転量とは異なる第２回転量にて回転する処理を実施した上で、前記第２視差画像として前記表示画面上に表示する請求項１に記載の虚像表示装置。
【請求項３】
表示光を反射部（３ａ）に反射させて、視認領域（ＥＢ）から視認可能な虚像（ＶＲ１，ＶＲ２）を表示する虚像表示装置であって、
前記表示光を発する表示画面（２１ａ）を有する表示部（２０）と、
前記表示画面に、前記反射部の所定の位置で反射されて前記視認領域のうち第１視点（ＶＰ１）に向かうこととなる前記表示光を発する第１領域（ＰＡ１）と、前記反射部の前記所定の位置からずれた位置で反射されて前記視認領域のうち前記第１視点とは異なる位置である第２視点（ＶＰ２）に向かうこととなる前記表示光を発する第２領域（ＰＡ２）と、を設定し、前記第１視点と前記第２視点との視差に基づく視差画像を、前記第１領域に第１視差画像（ＰＩ１）として、及び前記第２領域に第２視差画像（ＰＩ２）として、それぞれ表示するように、前記表示部を制御する画像制御部（４２）と、
前記第１視差画像の未回転データ及び前記第２視差画像の未回転データを用意するデータ用意部（４１）と、を備え、
前記画像制御部は、前記第１視差画像の未回転データを所定の第１回転量にて回転する処理を実施した上で、前記第１視差画像として前記表示画面上に表示すると共に、前記第２視差画像の未回転データを前記第１回転量とは異なり、前記反射部での反射の位置のずれに応じた第２回転量にて回転する処理を実施した上で、前記第２視差画像として前記表示画面上に表示する虚像表示装置。
【請求項４】
前記画像制御部は、前記虚像を視認する観察者の調整操作を検出可能に構成され、その検出結果に基づいて、前記第１回転量及び前記第２回転量を、調整する請求項２又は３に記載の虚像表示装置。
【請求項５】
前記画像制御部は、前記第１回転量及び前記第２回転量の調整において、
前記第１回転量及び前記第２回転量のうち、片方を変更可能とし、もう片方を変更不能とする片方調整モードと、
前記第１回転量及び前記第２回転量の両方をまとめて同量変更可能とする両方調整モードと、を切り替え可能である請求項４に記載の虚像表示装置。
【請求項６】
前記両方調整モードは、前記片方調整モードの終了後に開始される請求項５に記載の虚像表示装置。
【請求項７】
前記第１視差画像による前記虚像の上方向と、前記第２視差画像による前記虚像の上方向との角度差は、２０［′］以下である請求項１から６のいずれか１項に記載の虚像表示装置。
【手続補正２】
【補正対象書類名】明細書
【補正対象項目名】発明の名称
【補正方法】変更
【補正の内容】
【発明の名称】虚像表示装置
【手続補正３】
【補正対象書類名】明細書
【補正対象項目名】０００１
【補正方法】変更
【補正の内容】
【０００１】
この明細書による開示は、虚像表示装置に関する。
【手続補正４】
【補正対象書類名】明細書
【補正対象項目名】０００７
【補正方法】変更
【補正の内容】
【０００７】
この明細書の開示による目的のひとつは、立体映像の融像を容易にする虚像表示装置を提供することにある。
【手続補正５】
【補正対象書類名】明細書
【補正対象項目名】０００８
【補正方法】変更
【補正の内容】
【０００８】
ここに開示された態様のひとつは、表示光を反射部（３ａ）に反射させて、視認領域（ＥＢ）から視認可能な虚像（ＶＲ１，ＶＲ２）を表示する虚像表示装置であって、
表示光を発する表示画面（２１ａ）を有する表示部（２０）と、
表示画面に、反射部の所定の位置で反射されて視認領域のうち第１視点（ＶＰ１）に向かうこととなる表示光を発する第１領域（ＰＡ１）と、反射部の所定の位置からずれた位置で反射されて視認領域のうち第１視点とは異なる位置である第２視点（ＶＰ２）に向かうこととなる表示光を発する第２領域（ＰＡ２）と、を設定し、第１視点と第２視点との視差に基づく視差画像を、第１領域に第１視差画像（ＰＩ１）として、及び第２領域に第２視差画像（ＰＩ２）として、それぞれ表示するように、表示部を制御する画像制御部（４２）と、を備え、
画像制御部は、表示画面上において、第１領域に表示される第１視差画像の上方向（ＵＤ）と、第２領域に表示される第２視差画像の上方向とが、反射部での反射の位置のずれに応じて互いに異なるように、第１視差画像及び第２視差画像を表示させる。
【手続補正６】
【補正対象書類名】明細書
【補正対象項目名】００１１
【補正方法】変更
【補正の内容】
【００１１】
また、ここに開示された態様の他のひとつは、表示光を反射部（３ａ）に反射させて、視認領域（ＥＢ）から視認可能な虚像（ＶＲ１，ＶＲ２）を表示する虚像表示装置であって、
表示光を発する表示画面（２１ａ）を有する表示部（２０）と、
表示画面に、反射部の所定の位置で反射されて視認領域のうち第１視点（ＶＰ１）に向かうこととなる表示光を発する第１領域（ＰＡ１）と、反射部の所定の位置からずれた位置で反射されて視認領域のうち第１視点とは異なる位置である第２視点（ＶＰ２）に向かうこととなる表示光を発する第２領域（ＰＡ２）と、を設定し、第１視点と第２視点との視差に基づく視差画像を、第１領域に第１視差画像（ＰＩ１）として、及び第２領域に第２視差画像（ＰＩ２）として、それぞれ表示するように、表示部を制御する画像制御部（４２）と、
第１視差画像の未回転データ及び第２視差画像の未回転データを用意するデータ用意部（４１）と、を備え、
画像制御部は、第１視差画像の未回転データを所定の第１回転量にて回転する処理を実施した上で、第１視差画像として表示画面上に表示すると共に、第２視差画像の未回転データを第１回転量とは異なり、反射部での反射の位置のずれに応じた第２回転量にて回転する処理を実施した上で、第２視差画像として表示画面上に表示する。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】